(57)【要約】【課題】  磁気ディスクメディアの回転時の回転振れ、ガタ等を防止し、トラッキング性能を向上して、記録再生速度を高めた記録ディスクカートリッジを提供する。【解決手段】  回転体２１と、回転体２１に嵌装される複数のフレキシブルな記録ディスクメディア１００と、回転体２１および前記複数の記録ディスクメディア１００を収容するケース５，６とを備えた記録ディスクカートリッジ１０であって、複数の記録ディスクメディア１００は、中心に相異なる大きさの係合穴１１１，１１２，１１３を有し、回転体２１は、係合穴１１１，１１２，１１３のそれぞれに対応する係合軸部２１１，２１２，２１３を軸方向に沿って階段状に一体に形成されてなる構成とする。【選択図】      図２
2006059443.tif 000002
【特許請求の範囲】
【請求項１】
回転体と、前記回転体に嵌装される複数のフレキシブルな記録ディスクメディアと、前記回転体および前記複数の記録ディスクメディアを収容するカートリッジとを備えた記録ディスクカートリッジであって、
前記複数の記録ディスクメディアは、中心に相異なる大きさの係合穴を有し、
前記回転体は、前記係合穴のそれぞれに対応する係合軸部を軸方向に沿って階段状に一体に形成されてなることを特徴とする記録ディスクカートリッジ。
【請求項２】
前記回転体は、磁気吸着可能な磁性材料を有してなることを特徴とする請求項１に記載の記録ディスクカートリッジ。
【請求項３】
前記各係合軸部は、互いに同心の円柱体または円筒体からなることを特徴とする請求項１または請求項２に記載の記録ディスクカートリッジ。
【請求項４】
前記回転体は、中実体であることを特徴とする請求項１から請求項３のいずれか１項に記載の記録ディスクカートリッジ。
【発明の詳細な説明】
【技術分野】
【０００１】
本発明は、フレキシブルな記録ディスクメディアを複数備えた記録ディスクカートリッジに関する。
【背景技術】
【０００２】
近年、記録ディスクカートリッジとしては、記憶容量を増大させるために、一つのケース内に複数の磁気ディスクメディアをその回転軸方向に並ぶように設けたものが知られている（特許文献１参照）。このような記録ディスクカートリッジによれば、前記した記憶容量の増大化を図ることができる他、複数の磁気ディスクメディアに対して記録再生装置側の複数のヘッドを別個に動かして同時にアクセスさせることでデータの転送速度の向上を図ることができ、さらには、複数の磁気ディスクメディアのうち一つをパリティ用として利用することで記録ディスクカートリッジの信頼性の向上をも図ることができる。
【特許文献１】特開平１１−１１０９４４号公報
【発明の開示】
【発明が解決しようとする課題】
【０００３】
しかしながら、複数の磁気ディスクメディアを一体回転可能に収容した記録ディスクカートリッジにおいて、磁気ディスクメディアを高速で回転させ、複数のヘッドが同時にアクセスする場合には、その回転加速度、遠心力、およびヘッドと磁気ディスクメディアとの接触抵抗等により、回転機構部には、回転方向および放射線方向に外力が作用し、各要素の結合部の緩みやずれによるガタが発生し、磁気ディスクメディアの回転振れや振動を生じやすいという問題があった。このような磁気ディスクメディアの回転振れ等は、ヘッドのサーボフォローイング（追随性）の障害となり、記録再生速度の低下を招くことになる。
また、複数の磁気ディスクメディアを回転体に嵌装する必要から、その構成が複雑化し、生産効率が悪くなるという問題点もあった。
そこで、本発明は、部品構成を簡素化して、各要素の結合部分を極力排除することにより、磁気ディスクメディアの回転時の回転振れ、ガタ等を防止して、いわゆるヘッド当たりおよびトラッキング性能を向上し、記録再生速度を高め、しかも、生産性を向上できる記録ディスクカートリッジを提供することを課題とする。
【課題を解決するための手段】
【０００４】
前記課題を解決するため、請求項１に係る発明は、回転体と、前記回転体に嵌装される複数のフレキシブルな記録ディスクメディアと、前記回転体および前記複数の記録ディスクメディアを収容するカートリッジとを備えた記録ディスクカートリッジであって、前記複数の記録ディスクメディアは、中心に相異なる大きさの係合穴を有し、前記回転体は、前記係合穴のそれぞれに対応する係合軸部を軸方向に沿って階段状に一体に形成されてなることを特徴とする。
このように、回転体を階段状に一体に形成したことにより、部品構成を簡素化して、各要素の結合部分を極力排除することができるため、回転体の結合部のずれやガタを防止することができ、しかも、磁気ディスクメディアの取付の作業性も向上する。
【０００５】
請求項２に係る発明は、請求項１に係る記録ディスクカートリッジであって、前記回転体は、磁気吸着可能な磁性材料を有してなることを特徴とする。
このように、回転体を磁気吸着可能な磁性材料としたことにより、ディスクドライブのスピンドルで回転体を磁気吸着することができるため、磁気吸着した状態で回転させることができ、磁気ディスクメディアの回転時の回転振れを抑制することができる。
【０００６】
請求項３に係る発明は、請求項１または請求項２に係る記録ディスクカートリッジであって、前記各嵌装軸部は、互いに同心の円柱体または円筒体からなることを特徴とする。
このように、各係合軸部を互いに同心の円柱体または円筒体としたことにより、加工性、成形性がよく、生産性を高めることができる。
【０００７】
請求項４に係る発明は、請求項１から請求項３のいずれか１項に記載の記録ディスクカートリッジであって、前記回転体は、中実体であることを特徴とする。
このように、回転体を中実体としたことにより、回転体の強度を確保することができ、回転体のずれやガタを防止することができる。
【発明の効果】
【０００８】
本発明によれば、部品構成を簡素化することにより、磁気ディスクメディアの回転時の回転振れ、ガタ等を防止して、いわゆるヘッド当たりおよびトラッキング性能を向上し、記録再生速度を高め、しかも、生産性を向上できる記録ディスクカートリッジを提供することができる。
【発明を実施するための最良の形態】
【０００９】
本発明の実施形態について、適宜図面を参照しながら詳細に説明する。
図１は、本実施形態に係る記録ディスクカートリッジの基本構成を示す分解斜視図である。図１に示すように、記録ディスクカートリッジ１０は、三枚の磁気ディスクメディア１０１，１０２，１０３と、これらの磁気ディスクメディア１０１，１０２，１０３を一体に連結する回転機構部２と、磁気ディスクメディア１００（１０１，１０２，１０３）および回転機構部２を収容するケース３、およびシャッタ４とで主に構成されている。なお、以降の説明において、各磁気ディスクメディア１０１，１０２，１０３を区別する必要のない場合には、磁気ディスクメディア１００として総称する。
【００１０】
ここで、「記録ディスクメディア」は、本実施形態においては、一例として、磁気ディスクメディアを採用したが、フレキシブルなディスクメディアであれば、光ディスクメディア等であってもよく、信号の記録・再生方式によって限定されるものではない。
また、本発明は、カートリッジケースの形状や磁気ディスクメディアの収容ないし分割方法、およびシャッタの構造等によって限定されるものでもない。要するに、本発明は、フレキシブルな磁気ディスクメディアが複数枚重ねられた構造を備えた記録ディスクカートリッジであれば適用できるものである。
【００１１】
磁気ディスクメディア１００は、ポリエチレンテレフタレート（ＰＥＴ）等からなるシート状の支持体の両面に磁性体層が形成された、いわゆるフレキシブルディスクであり、その中央部と外周縁部がそれぞれ非記録領域１０１ａ，１０１ｂとされ、これらの領域を除く円環上に記録領域１０１ｃが設定されている。また、磁気ディスクメディア１００の中央部には、磁気ディスクメディア１００を回転体２１に嵌装する係合穴１１１，１１２，１１３（図３参照）が形成されている。
【００１２】
図２は、図１の記録ディスクカートリッジの内部構造を示す断面図である。
最初に、回転体の構成について説明する。図２に示すように、回転機構部２は、三枚の磁気ディスクメディア１００を所定の間隔で一体に連結させるものであり、主として、回転体２１と、ベアリングボール２２と、センタプレート２３とを備えて構成されている。
【００１３】
回転体２１は、回転軸の方向に沿って階段状に形成された係合軸部２１１，２１２，２１３が一体に形成されてなる。各係合軸部２１１，２１２，２１３は、いずれも直径が異なる円柱形状からなり、各係合軸部２１１，２１２，２１３の直径差により形成される各段部２１１´，２１２´，２１３´、磁気ディスクメディア１００が貼着される面となる。
なお、回転体２１は、本実施形態においては、磁気吸着可能な磁性材料で一体の中実構造として構成されている。
回転体２１の上面の中央部にはベアリングボール２２を回転自在に保持するボール保持穴が設けられている。また、回転体２１の下面には、図示しない記録再生装置内のドライブスピンドルに係合させるため、一例として、略四角形状の中心穴２１ｇを備えている。この中心穴２１ｇに、前記ドライブスピンドルを嵌入し、回転体２１を磁気的に吸着することによって、前記ドライブスピンドルとともに回転し、磁気ディスクメディア１００の回転振れを防止するように構成されている。
なお、本実施形態においては、回転体２１は、磁気吸着可能な磁性材料で一体に構成されているが、樹脂やセラミック等の非磁性体で一体に構成し、その下面にドライブスピンドルで吸着できるように磁性体を貼着した構成とすることもできる。
【００１４】
ベアリングボール２２は、例えば、ボールベアリングに使用される鋼製の球体からなるが、滑り性、耐摩耗性に優れた樹脂、例えば、ポリテトラフルオロエチレン、ポリオキシメチレン樹脂等により構成してもよい。ベアリングボール２２は、回転体２１の上面のボール保持穴内に配置されて、ボール保持部の底面およびセンタプレート２３と点接触により当接して、回転体２１に固着された磁気ディスクメディア１００を回転支持する。
【００１５】
センタプレート２３は、矩形のシート状に形成され、ハーフ前側５とハーフ後側６の境界部分の回転体２１の上方に貼り付けられた滑り部材である。センタプレート２３は、例えば、ポリオキシメチレン樹脂、超高分子量ポリエチレンなどの滑り性と耐摩耗性に優れた材料から構成することができる。
【００１６】
図３は、各磁気ディスクメディアの各係合穴の形状と回転体に階段状に形成された係合軸部との関係を示す斜視図である。図３に示すように、各磁気ディスクメディア１０１，１０２，１０３の係合穴１１１，１１２，１１３は、各磁気ディスクメディア１０１，１０２，１０３の中心に円形に形成され、上段に行くに従い径が小さくなるように配置され、係合軸部２１１，２１２，２１３はそれぞれ係合穴１１１，１１２，１１３に対応してその径が定められている。
なお、本実施形態においては、円柱形状の係合軸部２１１，２１２，２１３と円形の係合穴１１１，１１２，１１３とを係合させて磁気ディスクメディア１００を回転体２１に嵌装する構成としたが、それに限られることはなく、矩形形状や楕円形状を採用してもよく、さらに、両者の形状が異なる場合であっても、適切な関係で係合されるものであればよい。
【００１７】
次に、磁気ディスクメディアを収容するケースの構成について説明する。図１に示すように、ケース３は、回転体２１によって一体に固定された三枚の磁気ディスクメディア１００を収容するためのものであり、一例として、収容される磁気ディスクメディア１００の中心を基準にして二つのハーフ５，６に分割され、接着等により結合する構成としている。
なお、以下の説明においては、ケース３のうちシャッタ４が取り付けられる側を前側と呼び、その反対側を後側と呼ぶこととし、さらに、前記した二つのハーフ５，６を、前側ハーフ５および後側ハーフ６と呼ぶことがある。
【００１８】
説明の便宜上、後側ハーフ６から説明する。後側ハーフ６は、図５に示すように、上下に四分割した部品から構成されており、その下側の一段目から三段目を構成する同一形状の後側収容部６１と、三段目の後側収容部６１の上端に接合される平板状の後側上壁部６２とで主に構成され、三つの部屋が形成されている（図１参照）。後側収容部６１は、矩形の平板の三辺に側壁を立設したトレイ状の形状となっており、その底部６１ａの前端の中央部には、回転体２１（図２，３参照）の外径よりも大径となる半円状の逃がし部６１ｂが形成されている。
【００１９】
図１に示すように、前側ハーフ５には、その前部にシャッタ４を取り付けるための凹部５１が、上面５ａ、前面５ｂ、下面５ｃに渡って形成されている。この凹部５１には、その上面５１ａ、前面５１ｂ、下面５１ｃに渡って開口部５１ｄが形成されており、この開口部５１ｄを介して図示しない記録再生装置の複数の磁気ヘッドがケース３の内部の各磁気ディスクメディア１００にアクセスすることが可能となっている。
また、凹部５１の上面５１ａには、後記するシャッタ４の抜け止め用の係止爪４１を係止させるための係止用孔５１ｅが開口部５１ｄを挟んだ両側に形成されている。
さらに、凹部５１の前面５１ｂには、後記するシャッタ４のスライド用のガイド爪４２を摺動自在に係合させるための溝状のスリット５１ｆと、シャッタ４を常時閉方向（図示手前側）に付勢するためのシャッタ閉塞用ばね７の一端部７１を収容し、かつ、図示しない係止部で係止するための係止穴５１ｇとが形成されている。
【００２０】
また、前側ハーフ５は、図６に示すように、複数に分割されて構成されている。詳しくは、下側の一段目を構成する第一収容部５２と、二段目を構成する第二収容部５３と、三段目を構成する第三収容部５４と、この第三収容部５４の上端に接合される前側上壁部５５とで主に構成されている。
【００２１】
第一収容部５２は、前記した後側収容部６１（図５参照）に対してほぼ前後対称となる形状に形成されており、その前壁５２ｃには、前記した凹部５１、開口部５１ｄ、スリット５１ｆ、係止穴５１ｇの下側半分を構成する形状部５２ｄが適宜形成されている。これに対し、略平板状となる前側上壁部５５の前端には、前記した凹部５１、開口部５１ｄ、スリット５１ｆ、係止穴５１ｇの上側半分を構成する形状部５５ｄ（係止用孔５１ｅの形状部分も含む）が適宜形成されている。
【００２２】
第二収容部５３は、前記した後側収容部６１（図５参照）に対してほぼ前後対称となる形状に形成されており、その底部５３ａに形成された半円状の逃がし部５３ｂから前方に向かって所定の幅の分割溝５３ｃが形成されることによって、実質、二部品に分かれて構成されている。また、第二収容部５３の前部は、第一収容部５２（または、前側上壁部５５）の前部の形状に対応する逃がしが設けられている。なお、第三収容部５４は、第二収容部５３と同じ構造であるため、その説明を省略する。
このように、第二収容部５３および第三収容部５４に分割溝５３ｃ，５４ｃが形成されることによって、前側ハーフ５の開口部５１ｄから挿入される図示しない複数の磁気ヘッドが磁気ディスクメディア１００の記録領域１０１ｃ（図１参照）の内周縁まで良好に移動することが可能となっている。
【００２３】
なお、ケース内を分割して各収容部を設けたのは、重ね合わされた各磁気ディスクメディアが回転時に干渉しないようにするためであり、さらに、各収容部の壁に不織布等のライナ８１を張ることにより磁気ディスクメディアの損傷を防止することも可能としている。
【００２４】
次に、ケースの前面開口部を開放、閉塞するシャッタの構成について説明する。図１に示すように、シャッタ４は、上壁４ａ、前壁４ｂ、下壁４ｃによって断面視略Ｕ字状に形成されており、これにより前側ハーフ５の凹部５１に嵌まり込んで左右にスライドする構造となっている。そして、シャッタ４の上壁４ａには、シャッタ４の抜け止めに寄与する二つの係止爪４１が切り曲げられて形成されており、これらの係止爪４１は、前側ハーフ５に形成された二つの係止用孔５１ｅによって前後方向のみにおいて係止され、かつ、左右方向においては摺動が許容されるようになっている。
【００２５】
また、シャッタ４の前壁４ｂには、シャッタ４のスライドに寄与するガイド爪４２が後方に向けて切り曲げられて形成されるとともに、その上端から下端にわたる範囲で開口部４３が形成されている。そして、前記したガイド爪４２が前側ハーフ５に形成されたスリット５１ｆに摺動自在に係合するとともに、シャッタ閉塞用ばね７の他端部７２と係合することによって、このシャッタ閉塞用ばね７でシャッタ４が常時閉方向（図示手前側）に付勢されるようになっている。
【００２６】
すなわち、シャッタ４は、シャッタ閉塞用ばね７によって閉方向側に押し付けられている状態においては、その前壁４ｂで前側ハーフ５の開口部５１ｄを塞ぎ、また、シャッタ閉塞用ばね７の付勢力に抗して開方向側の所定位置まで移動させた状態においては、その開口部４３が前側ハーフ５の開口部５１ｄと一致するように構成されている。
なお、シャッタ閉塞用ばね７は、その基部７３が前側ハーフ５のスリット５１ｆから挿入されて前側ハーフ５内に収容され（図４参照）、かつ、その一端部７１が係止穴５１ｇ内に収容されるようになっており、その他端部７２（折り曲げられた部分）のみがスリット５１ｆ近傍の前面５１ｂに引っ掛かった状態でシャッタ４と係合するようになっている。
【００２７】
次に、本実施形態に係る記録ディスクカートリッジ１０の作用について図３を参照して説明する。
前記のように、各磁気ディスクメディア１０１，１０２，１０３には、回転体２１に取り付けるための係合穴１１１，１１２，１１３がそれぞれ形成され、この係合穴１１１，１１２，１１３は回転体２１の階段状に形成された係合軸部２１１，２１２，２１３にそれぞれ係合し、磁気ディスクメディア１００は、段部２１１´，２１２´，２１３´に固着されている。
【００２８】
このように、本実施形態において、回転体は、一体に形成され、構成部品が簡素化されているため、ガタや緩み等が生じる要素が極めて少ない。
したがって、磁気ディスクメディアの回転時の回転振れ、ガタ等を防止して、いわゆるヘッド当たりおよびトラッキング性能を向上することができ、記録再生速度を高め、しかも、生産性を向上することができる。
【００２９】
以上、本発明の実施形態について説明したが、本発明は、前記実施形態に限定されるものではなく、種々の形態で実施することができる。
例えば、図７は回転体の他の例を示す半断面図であり、（ａ）は実施例１、（ｂ）は実施例２である。実施例１は、回転体をプレス成形により一体として絞り加工したものである。図７（ａ）に示す実施例１では、回転体２１に、特殊鋼板を使用することにより、防錆対策が可能で、形状的に強度も確保でき、しかも、磁気吸着が可能で生産性も高いという特徴を有する。なお、この例では、回転体２１の係合軸部が上方に向かうに従い拡径されるように構成し、その下面にディスクドライブのスピンドルが挿入される中心穴２１ｇが設けられている。
また、図７（ｂ）に示す実施例２では、回転体に、６枚の磁気ディスクメディアを嵌装できる構成としている。磁気ディスクメディアを効率よく多数収容する場合に有効な例である。
【図面の簡単な説明】
【００３０】
【図１】本実施形態に係る記録ディスクカートリッジを示す分解斜視図である。
【図２】図１の記録ディスクカートリッジの内部構造を示す断面図である。
【図３】磁気ディスクメディアの係合穴の形状と回転体の階段状に形成された段部との関係を示す斜視図である。
【図４】図２の矢印Ａから見た下面図である。
【図５】図１の後側ハーフを示す分解斜視図である。
【図６】図１の前側ハーフを示す分解斜視図である。
【図７】回転体の他の例を示す半断面図であり、（ａ）は実施例１、（ｂ）は実施例２である。
【符号の説明】
【００３１】
１０    記録ディスクカートリッジ
１００（１０１，１０２，１０３）    磁気ディスクメディア
１１１，１１２，１１３    係合穴
２      回転機構部
２１    回転体
２１１，２１２，２１３    係合軸部
２１１´，２１２´，２１３´，２１４´，２１５´，２１６´    段部
２１ｇ  中心穴
２２    ベアリングボール
２３    センタプレート
３      ケース
４      シャッタ
５      前側ハーフ
６      後側ハーフ
【図１】
2006059443.tif 000003
【図２】
2006059443.tif 000004
【図３】
2006059443.tif 000005
【図４】
2006059443.tif 000006
【図５】
2006059443.tif 000007
【図６】
2006059443.tif 000008
【図７】
2006059443.tif 000009